(57)【要約】【課題】鶏糞の減溶消滅化を図り、養鶏農家に狭いスペースで低コストの鶏糞処理方法を提供することを目的とするものである。【解決手段】鶏糞及び流動接触材に発酵型通性嫌気性の土壌菌を含む自然水を加えた少なくとも一つの処理槽において、必要に応じて水分調整のための水を加え、攪拌、曝気或いは通気をしつつ醗酵分解させ、また、水或いは水溶液を系外に取り出すことなく、鶏糞中に混在する死鶏及び羽根、鶏糞に含有される微量の無機質成分、流動接触材の難分解性の物質以外の鶏糞の有機物を、炭酸ガス、窒素ガス、メタンガス、硫化水素、蒸発水分等の気体の形で減溶消滅させることを特徴とする鶏糞減消滅化処理方法である。【選択図】    図１
2004357671.tif 000002
【特許請求の範囲】
【請求項１】
鶏糞及び流動接触材に発酵型通性嫌気性の土壌菌を含む自然水を加えた少なくとも一つの処理槽において、必要に応じて水分調整のための水を加え、攪拌、曝気或いは通気をしつつ醗酵分解させ、また水或いは水溶液を系外に取り出すことなく、鶏糞中に混在する死鶏及び羽根、鶏糞に含有される微量の無機質成分、流動接触材の難分解性の物質以外の鶏糞の有機物を、炭酸ガス、窒素ガス、メタンガス、硫化水素、蒸発水分等の気体の形で減溶消滅させることを特徴とする鶏糞減溶消滅化処理方法。
【請求項２】
前記処理槽において、前段の処理槽は曝気或いは通気することなく、嫌気的条件にて醗酵分解させ、後段の処理槽において、曝気或いは通気処理することを特徴とする請求項１に記載の鶏糞減溶消滅化処理方法。
【発明の詳細な説明】
【０００１】
【産業上の技術分野】
本発明は、家畜の糞尿、特に鶏糞を醗酵処理し、鶏糞の減溶消滅化を図るための鶏糞減溶消滅化処理方法に関するものである。
【０００２】
【従来の技術】
従来、ブロイラー育成業や養鶏農家から発生する鶏糞量が大量化し、その処理方法として、水分調整をして微生物醗酵堆肥化する方法、熱乾燥機によって強制的に無臭化減溶化して堆肥化する方法、或いは焼却して減量化し、焼却灰を再利用する方法、さらには炭化して農地還元する方法等がある。
【０００３】
【発明が解決しようとする課題】
しかしながら、上述した方法によって生成された堆肥、炭化物等を利用する農家が減少する一方、化成肥料を利用して手間を掛けない農家が多くなっている。また、有機農産物の需要が増加しているものの手間や収穫量にリスクがあるために堆肥使用量が少ない。
さらに、鶏糞は豚糞や牛糞に比較して、リンとカリウムの含有率が多いため畜産業界では飽和状態になり、堆肥使用量が少ない等の問題点があり、従来の処理方法では鶏糞処理量の供給過剰の問題があった。
【０００４】
本発明は以上の技術的課題を解決し、鶏糞の減溶消滅化を図り、養鶏農家に狭いスペースで低コストの鶏糞処理方法を提供することを目的とするものである。
【０００５】
【課題を解決するための手段】
上記の目的を達成するため、本発明は、以下のような鶏糞減溶消滅化処理方法を提供するものである。すなわち、鶏糞及び流動接触材に発酵型通性嫌気性の土壌菌を含む自然水を加えた少なくとも一つの処理槽において、必要に応じて水分調整のための水を加え、攪拌、曝気或いは通気をしつつ醗酵分解させ、また水或いは水溶液を系外に取り出すことなく、難分解性の中の、鶏糞中に混在する死鶏及び羽根、鶏糞に含有される微量の無機質成分、流動接触材の難分解性の物質以外の鶏糞の有機物を、炭酸ガス、窒素ガス、メタンガス、硫化水素、蒸発水分等の気体の形で消滅させることを特徴とする鶏糞減溶消滅化処理方法である。
また、処理槽において、前段の処理槽は曝気或いは通気するすることなく、嫌気的条件にて醗酵分解させ、後段の処理槽において曝気或いは通気処理をすることを特徴とする鶏糞減溶消滅化処理方法である。
【０００６】
【発明の実施の形態】
以下、本発明の実施の形態を図面に示す実施例について説明する。
図１は本発明に係る減溶消滅化処理方法によるフローシフトである。
本実施例では、減溶消滅処理される有機廃棄物として鶏糞を用いて説明する。
【０００７】
図１において、原料として有機廃棄物である鶏糞及び床材が投入される（Ｓ１）。
上記床材は、木屑、おが屑、木材チップ、籾殻、或いは稲藁等の流動接触材に発酵型通性嫌気菌が混入された自然水から構成されている。
【０００８】
そして、上記発酵型通性嫌気菌は、流動接触材である木屑、おが屑、木材チップ、籾殻、或いは稲藁等の炭素質に富んだ資材を栄養源の一つとする複合微生物であり、分解性能に優れている．また、該微生物の分解過程によって生じる醗酵熱による蒸発散効果も高い。
また、木屑、おが屑、木材チップ、籾殻、或いは稲藁等の炭素質を含む資材が通性嫌気性微生物の分解過程によって微細化して表面積が増加することにより担体としての機能がさらに高められる。
なお、鶏糞乾燥重量と木屑、おが屑、木材チップ、籾殻、或いは稲藁等の流動接触材比は目安として４；１が好適である。
【０００９】
次いで、投入された有機廃棄物及び床材は第１処理槽（１）に搬出される（Ｓ２）。
ここでいう第１処理槽とは、鶏糞、発酵型通性嫌気菌を含む自然水、木屑、おが屑、木材チップ、籾殻或いは稲藁等の流動接触材或いは混合接触材を混合させる通性嫌気醗酵攪拌槽（１）をいう。
接触材は鶏舎の床材として使用され、その結果鶏舎から搬出される鶏糞中に含まれる場合もあるが、接触材を含まない鶏糞の場合には、鶏糞とは別に混入してもよい。
前記通性嫌気醗酵攪拌槽（１）に投入された鶏糞は通常乾燥した固形物になっている場合が多いため、槽底に沈殿滞留しやすい。したがって、通性嫌気醗酵攪拌槽は攪拌能力を重視したものである。
【００１０】
通性嫌気醗酵攪拌槽（１）では、固形化した鶏糞を溶解し、難分解の鶏の羽根、死鶏、木屑等を攪拌して鶏糞の通性嫌気菌による醗酵処理の促進を行う。
通性嫌気醗酵攪拌槽（１）で醗酵処理された有機廃棄物は固液分離機（２）にて難分解の羽根、死鶏、木屑、おが屑、木材チップ等の固体分を分離する（Ｓ３）。
前記固液分離機（２）で分離された粗い固体分は、通性嫌気醗酵攪拌槽（１）にて醗酵微生物が十分に定着しているので、そのまま放置しておいても堆肥化するので利用価値が高く、また、床材としてリサイクルすることができる。
第２処理槽である通性嫌気曝気槽（３）に移送された有機廃棄物は主として曝気或いは通気処理され、水或いは水溶液を系外に取り出すことなく、鶏糞の有機廃棄物は炭酸ガス、窒素ガス、メタンガス、硫化水素、蒸発水分等の気体の形で分解される（Ｓ４）。
そして、前記（Ｓ４）で気体の形で分解された以外の残りの微細な鶏糞或いはおが屑、籾殻、等の床材は通性嫌気醗酵攪拌槽（１）に戻され循環させる。この過程において、水分調整として自然水、水道水等が補給される。
このような工程を循環させることで、より有効な処理方法が得られる。
【００１１】
以上の工程によれば、一般的なブロイラー育成業では、３０，０００羽バッジ、５回転／年間の場合、槽容量が１５０ｍ３程度となっている。ただし、この水槽量は鶏糞に混在する床材である木屑、おが屑等の量により前後する。
【００１２】
そして、槽中の水量は、醗酵熱により、蒸発減少するので、必要に応じて水を補給し、加えられる水は自然水、水道水、井戸水等であればよく、槽中の水量を一定量に維持するものである。
上記の鶏糞処理方法を実施した場合に、５〜１０日間で、曝気風量や醗酵熱によって蒸発散減量する水槽水量は、水道水を投入して随時定量にすることで、所期の鶏糞減溶消滅化が達成された。
【００１３】
以上実施例に説明したように、本発明は、鶏糞及び流動接触材に発酵型通性嫌気性の土壌菌を含む自然水を加えた処理槽において、必要に応じて水分調整のための水を加え、攪拌、曝気或いは通気をしつつ醗酵分解させさせるだけで、鶏糞の有機廃棄物、水溶液を炭酸ガス、窒素ガス、メタンガス、硫化水素、蒸発水分等の気体の形で消滅させることができるので、アンモニアガスの発生が少なく、環境保全が万全であり、プラントに必要なランニングコストは電気料、水道料のみの低コストで済む。
また、毎時間毎の水質データ管理の必要がなく、運転が簡単である。
【００１４】
さらに、処理槽において、前段の処理槽は曝気或いは通気することなく、嫌気的条件にて醗酵分解させ、後段の処理槽において曝気或いは通気処理をするので、鶏糞処理に際し、処理水を取り出すことなく、鶏糞の減溶化が可能になったので、ブロイラー育成業、養鶏農家は処理槽を設けるだけで、排水設備等を設ける必要がなく低コストの鶏糞処理が得られた。
また、分離された固形分は、第１処理槽において醗酵微生物が十分定着しているので、そのまま放置しておいても堆肥化するので、堆肥装置等の設備を設ける必要がなく、この点においても低コストに寄与している。
従って、従来の好気菌主体の活性汚泥処理法による処理では不可能な繊維質の含有率の多いＳＳ鶏糞処理が可能になった。
【００１５】
上述した減溶化方法において、鶏舎の鶏に給餌する際に、飼料に発酵型酵素或いは発酵型微生物を添加配合すると、鶏のストレスが改善され、、肉質も上昇され、糞による肺炎罹病率が低下し、環境の改善ができ、抗生物質の要らない体質が得られ、さらに有効な鶏糞処理の減溶消滅が得られた。
また、本実施例では効率化のため、処理層を２槽設けているが、１槽でも減溶処理化が得られることは勿論である。
なお、上記の実施例は鶏糞の例で説明したが、これに限定されるものではなく、牛糞、豚糞等の家畜の糞または糞尿混合物処理に適用されるのはは言うまでもない。
【００１６】
【発明の効果】
本発明は以上に説明したように、鶏糞及び木屑、おが屑等の流動接触材に発酵型通性嫌気性の土壌菌を含む自然水を加えた少なくとも一つの処理槽において、請求項１のものによれば、必要に応じて水分調整のための水を加え、攪拌、曝気或いは通気をしつつ醗酵分解させ、また水或いは水溶液を系外に取り出すことなく、鶏糞の有機廃棄物を炭酸ガス、窒素ガス、メタンガス、硫化水素、蒸発水分等の気体の形で減溶消滅させることができるので、アンモニアガスの発生が少なく環境保全が万全であり、プラントに必要なランニングコストは電気料、水道料だけで低コストで済み、また、毎時間毎の水質データ管理が必要なく、運転管理が容易である。
また、請求項２のものによれば、前段の処理槽は曝気或いは通気をすることなく、嫌気的条件にて醗酵分解させ、後段の処理槽において、曝気或いは通気処理するので、鶏糞処理に際し、処理水を放流することなく、鶏糞の減溶消滅化が可能になり、排水設備等を設ける必要がなく、狭いスペースで低コストの鶏糞処理が得られる。
【図面の簡単な説明】
【図１】本発明に係る鶏糞減溶消滅化処理方法のフローシフトである。
【符号の説明】
１  通性嫌気醗酵攪拌槽
２  固液分離機
３  通性嫌気曝気槽
【図１】
2004357671.tif 000003